(57)【特許請求の範囲】
【請求項１】
ワイヤレス通信デバイスによる最適化されたウェイクアップのための方法であって、
ページメッセージ受信サブスロットにおいてページメッセージを受信するステップであって、前記ページメッセージがクイックページングチャネルを介して受信されない、ステップと、
前記ページメッセージ受信サブスロットのサブスロット番号が、記憶されたサブスロット番号と一致するか否かに基づいて、ウェイクアップレコードを更新するステップであって、前記ページメッセージ受信サブスロットのサブスロット番号が前記記憶されたサブスロット番号と一致する場合に、カウンタを増分させるステップを含む、ステップと、
スリープモードを開始するステップとを含む方法。
【請求項２】
サブスロット番号を有するサブスロットにおいてページメッセージを検出するステップと、
前記サブスロットの前記サブスロット番号に基づいて前記ウェイクアップレコードを更新するステップとをさらに含む、請求項1に記載の方法。
【請求項３】
前記ウェイクアップレコードは、
前記記憶されたサブスロット番号と、
前記カウンタとを含む、請求項2に記載の方法。
【請求項４】
前記サブスロットの前記サブスロット番号が前記記憶されたサブスロット番号と一致しない場合、前記サブスロット番号に基づいて前記ウェイクアップレコードを更新するステップは、
前記カウンタを0に再設定するステップと、
前記サブスロット番号を前記記憶されたサブスロット番号として設定するステップとを含む、請求項3に記載の方法。
【請求項５】
前記ページメッセージ受信サブスロットを第1のサブスロットに再設定するステップをさらに含む、請求項4に記載の方法。
【請求項６】
前記カウンタが連続サブスロットしきい値以上であるかどうかを判定するステップをさらに含む、請求項1に記載の方法。
【請求項７】
前記カウンタが、前記連続サブスロットしきい値以上であり、前記方法が、前記ページメッセージ受信サブスロットを前記記憶されたサブスロット番号に調整するステップをさらに含む、請求項6に記載の方法。
【請求項８】
前記連続サブスロットしきい値は調整可能である、請求項6に記載の方法。
【請求項９】
前記ウェイクアップレコードは第1の擬似雑音(PN)符号のウェイクアップレコードであり、前記方法が、
第1のPN符号から第2のPN符号に移動するステップと、
前記第1のPN符号の前記ウェイクアップレコードを記憶するステップと、
前記第2のPN符号のウェイクアップレコードが作成されているかどうかを判定するステップとを含む、請求項1に記載の方法。
【請求項１０】
前記第2のPN符号のウェイクアップレコードが作成されており、前記方法が、前記第2のPN符号の前記ウェイクアップレコードを使用するステップをさらに含む、請求項9に記載の方法。
【請求項１１】
前記第2のPN符号のウェイクアップレコードが作成されておらず、前記方法が、
前記第2のPN符号のウェイクアップレコードを生成するステップと、
前記第2のPN符号の記憶されたサブスロット番号を第1のサブスロットに設定するステップと、
前記ページメッセージ受信サブスロットを前記第1のサブスロットに初期設定するステップと、
前記第2のPN符号の前記ウェイクアップレコードのカウンタを0に初期設定するステップとを含む、請求項9に記載の方法。
【請求項１２】
前記方法は前記ワイヤレス通信デバイスのスリープ時間を延ばす、請求項1に記載の方法。
【請求項１３】
前記方法は、スロットモードにおける1つのサブスクリプションのアウェイク時間を短くし、それによってデュアル加入者識別モジュール(SIM)デュアルスタンドバイデバイスにおける二重サブスクリプションウェイクアップ間の衝突を低減させる、請求項1に記載の方法。
【請求項１４】
前記方法は、前記ワイヤレス通信デバイスにおけるコールパフォーマンスを向上させ、コールパフォーマンスはスループット、容量、および信頼性のうちの1つを含む、請求項13に記載の方法。
【請求項１５】
前記方法は、ワイヤレスネットワークおよびローミングネットワークの少なくとも一方において前記ワイヤレス通信デバイスによって実行される、請求項1に記載の方法。
【請求項１６】
最適化されたウェイクアップのために構成されたワイヤレス通信デバイスにおいて、
プロセッサと、
前記プロセッサと電子通信するメモリと、
前記メモリに格納される命令であって、
ページメッセージ受信サブスロットにおいてページメッセージを受信することであって、前記ページメッセージがクイックページングチャネルを介して受信されない、ことと、
前記ページメッセージ受信サブスロットのサブスロット番号が、記憶されたサブスロット番号と一致するか否かに基づいて、ウェイクアップレコードを更新することであって、前記ページメッセージ受信サブスロットのサブスロット番号が前記記憶されたサブスロット番号と一致する場合に、カウンタを増分させることを含む、ことと、
スリープモードを開始することとを行うように前記プロセッサによって実行可能である命令とを備えるワイヤレス通信デバイス。
【請求項１７】
前記命令は、
サブスロット番号を有するサブスロットにおいてページメッセージを検出し、
前記サブスロットの前記サブスロット番号に基づいて前記ウェイクアップレコードを更新するようにさらに実行可能である、請求項16に記載のワイヤレス通信デバイス。
【請求項１８】
前記ウェイクアップレコードは、
前記記憶されたサブスロット番号と、
前記カウンタとを含む、請求項17に記載のワイヤレス通信デバイス。
【請求項１９】
前記サブスロットの前記サブスロット番号が前記記憶されたサブスロット番号と一致せず、前記サブスロット番号に基づいて前記ウェイクアップレコードを更新することが、
前記カウンタを0に再設定することと、
前記サブスロット番号を前記記憶されたサブスロット番号として設定することとを含む、請求項18に記載のワイヤレス通信デバイス。
【請求項２０】
前記命令は、前記ページメッセージ受信サブスロットを第1のサブスロットに再設定するようにさらに実行可能である、請求項19に記載のワイヤレス通信デバイス。
【請求項２１】
前記命令は、前記カウンタが連続サブスロットしきい値以上であるかどうかを判定するようにさらに実行可能である、請求項16に記載のワイヤレス通信デバイス。
【請求項２２】
前記カウンタが前記連続サブスロットしきい値以上であり、前記命令が、前記ページメッセージ受信サブスロットを前記記憶されたサブスロット番号に調整するようにさらに実行可能である、請求項21に記載のワイヤレス通信デバイス。
【請求項２３】
前記連続サブスロットしきい値は調整可能である、請求項21に記載のワイヤレス通信デバイス。
【請求項２４】
前記ウェイクアップレコードは第1のPN符号のウェイクアップレコードであり、前記命令は、
第1のPN符号から第2のPN符号に移動し、
前記第1のPN符号の前記ウェイクアップレコードを記憶し、
前記第2のPN符号のウェイクアップレコードが作成されているかどうかを判定するようにさらに実行可能である、請求項16に記載のワイヤレス通信デバイス。
【請求項２５】
前記第2のPN符号のウェイクアップレコードが作成されており、前記命令が、前記第2のPN符号の前記ウェイクアップレコードを使用するようにさらに実行可能である、請求項24に記載のワイヤレス通信デバイス。
【請求項２６】
前記第2のPN符号のウェイクアップレコードが作成されておらず、前記命令が、
前記第2のPN符号のウェイクアップレコードを生成し、
前記第2のPN符号の記憶されたサブスロット番号を第1のサブスロットに設定し、
前記ページメッセージ受信サブスロットを前記第1のサブスロットに初期設定し、
前記第2のPN符号の前記ウェイクアップレコードのカウンタを0に初期設定するようにさらに実行可能である、請求項24に記載のワイヤレス通信デバイス。
【請求項２７】
前記ワイヤレス通信デバイスは、増加したスリープ時間を有する、請求項16に記載のワイヤレス通信デバイス。
【請求項２８】
前記ワイヤレス通信デバイスは、スロットモードにおける1つのサブスクリプションの短くなったアウェイク時間を有し、それによってデュアル加入者識別モジュール(SIM)デュアルスタンドバイデバイスにおける二重サブスクリプションウェイクアップ間の衝突が低減する、請求項16に記載のワイヤレス通信デバイス。
【請求項２９】
前記ワイヤレス通信デバイスは、コールパフォーマンスが向上されており、コールパフォーマンスはスループット、容量、および信頼性のうちの1つを含む、請求項28に記載のワイヤレス通信デバイス。
【請求項３０】
前記ワイヤレス通信デバイスは、ワイヤレスネットワークおよびローミングネットワークの少なくとも一方に存在する、請求項16に記載のワイヤレス通信デバイス。
【請求項３１】
ワイヤレス通信デバイスにページメッセージ受信サブスロットにおいてページメッセージを受信させるためのコードであって、前記ページメッセージがクイックページングチャネルを介して受信されない、コードと、
前記ページメッセージ受信サブスロットのサブスロット番号が、記憶されたサブスロット番号と一致するか否かに基づいて、前記ワイヤレス通信デバイスにウェイクアップレコードを更新させるためのコードであって、前記ページメッセージ受信サブスロットのサブスロット番号が前記記憶されたサブスロット番号と一致する場合に、前記ワイヤレス通信デバイスにカウンタを増分させるためのコードを含む、コードと、
前記ワイヤレス通信デバイスにスリープモードを開始させるためのコードとを含む命令を有するコンピュータ可読媒体。
【請求項３２】
前記命令は、
前記ワイヤレス通信デバイスにサブスロット番号を有するサブスロットにおいてページメッセージを検出させるためのコードと、
前記ワイヤレス通信デバイスに前記サブスロットの前記サブスロット番号に基づいて前記ウェイクアップレコードを更新させるためのコードとをさらに含む、請求項31に記載のコンピュータ可読媒体。
【請求項３３】
前記ウェイクアップレコードは、
前記記憶されたサブスロット番号と、
前記カウンタとを含む、請求項32に記載のコンピュータ可読媒体。
【請求項３４】
ワイヤレス通信のために周期的にウェイクアップするように構成されたワイヤレス通信デバイスにおいて、
ワイヤレス信号を受信するように構成された通信インターフェースと、
前記通信インターフェースに動作可能に結合されたプロセッサであって、
前記プロセッサが所定のサブスロットにおける前記ワイヤレス信号においてページメッセージを検出した場合に前記ワイヤレス通信デバイスをウェイクアップすることであって、前記ページメッセージがクイックページングチャネルを介して受信されない、ことと、
前記所定のサブスロットのサブスロット番号が、記憶されたサブスロット番号と一致するか否かに基づいて、ウェイクアップレコードを更新することであって、前記所定のサブスロットのサブスロット番号が前記記憶されたサブスロット番号と一致する場合に、カウンタを増分させることを含む、ことと、
スリープモードに戻ることを行うように構成されたプロセッサとを備えるワイヤレス通信デバイス。
【請求項３５】
前記プロセッサは、
前記所定のサブスロットにおけるサブスロット番号を有するサブスロットにおいてページメッセージを検出し、
前記サブスロットの前記サブスロット番号に基づいて前記ウェイクアップレコードを更新するようにさらに構成される、請求項34に記載のワイヤレス通信デバイス。
【請求項３６】
前記ウェイクアップレコードは、
前記記憶されたサブスロット番号と、
前記カウンタとを含む、請求項35に記載のワイヤレス通信デバイス。
【請求項３７】
最適化されたウェイクアップのために構成されたワイヤレス通信デバイスにおいて、
ページメッセージ受信サブスロットにおいてページメッセージを受信するための手段であって、前記ページメッセージがクイックページングチャネルを介して受信されない、手段と、
前記ページメッセージ受信サブスロットのサブスロット番号が、記憶されたサブスロット番号と一致するか否かに基づいて、ウェイクアップレコードを更新するための手段あって、前記ページメッセージ受信サブスロットのサブスロット番号が前記記憶されたサブスロット番号と一致する場合に、カウンタを増分させるための手段を含む、手段と、
スリープモードを開始するための手段とを備えるワイヤレス通信デバイス。
【請求項３８】
サブスロット番号を有するサブスロットにおいてページメッセージを検出するための手段と、
前記サブスロットの前記サブスロット番号に基づいて前記ウェイクアップレコードを更新するための手段とをさらに備える、請求項37に記載のワイヤレス通信デバイス。
【請求項３９】
前記ウェイクアップレコードは、
前記記憶されたサブスロット番号と、
前記カウンタとを含む、請求項38に記載のワイヤレス通信デバイス。
【請求項４０】
前記クイックページングチャネルは、ページングチャネルとは別個のチャネルである、請求項１に記載の方法。
【請求項４１】
前記クイックページングチャネルは、ページメッセージを受信せず、前記ページングチャネル上のページメッセージを受信するために非アクティブモードから待機モードに切り替えるかどうかを前記ワイヤレス通信デバイスに通知するビットを検出する、請求項40に記載の方法。
【発明の詳細な説明】
【技術分野】
【０００１】
関連出願および優先権の主張
本出願は、参照により、すべての目的のためにかつ以下に詳しく記載されているように本明細書に組み込まれている、2011年10月31日に出願された、「OPTIMIZED WAKEUP」に関する米国仮特許出願第61/553777号に関し、かつその優先権を主張する。
【０００２】
本開示は、概してワイヤレス通信システムに関する。より詳細には、本開示は、通信デバイスの効率的な動作を可能にする最適化されたウェイクアップのためのシステムおよび方法に関する。
【背景技術】
【０００３】
音声、映像、データなどのような、様々なタイプの通信コンテンツを供給するために、ワイヤレス通信システムが広く展開されている。これらのシステムは、複数のモバイルデバイスと1つまたは複数の基地局との同時通信をサポートすることのできる多元接続システムであってよい。
【０００４】
ワイヤレス通信システム内で、基地局は、ワイヤレスネットワークに存在するモバイルデバイスにページメッセージを周期的に送信することができる。ページメッセージは、モバイルデバイスに着信ボイス呼を通知するかまたはモバイルデバイスにチャネル割当てを与えることができる。モバイルデバイスがこのようなページメッセージを受信するには、スリープモードからウェイクアップする必要がある。現行のウェイクアップ方法を改善することができる。
【発明の概要】
【課題を解決するための手段】
【０００５】
最適化されたウェイクアップのためのデバイス、システム、製造品、および方法について説明する。一実施形態では、最適化されたウェイクアップのための方法を開示する。ページメッセージ受信サブスロットにおいてページメッセージが受信される。ウェイクアップレコードが更新される。スリープモードが開始される。他の態様、実施形態、および特徴についても請求し説明する。
【０００６】
ページメッセージは、サブスロット番号を有するサブスロットにおいて検出されてよい。ウェイクアップレコードは、サブスロットのサブスロット番号に基づいて更新されてよい。ウェイクアップレコードは、記憶されたサブスロット番号およびカウンタを含んでよい。サブスロットのサブスロット番号は、記憶されたサブスロット番号と一致しないことがある。サブスロット番号に基づいてウェイクアップレコードを更新することは、カウントを0に再設定し、サブスロット番号を記憶されたサブスロット番号に設定することを含んでよい。ページメッセージ受信サブスロットは第1のサブスロットに再設定されてよい。
【０００７】
ウェイクアップレコードを更新することは、ページメッセージ受信サブスロットのサブスロット番号が記憶されたサブスロット番号と一致するかどうかを判定し、一致する場合にカウントを増分させることを含んでよい。この方法は、カウントが連続サブスロットしきい値以上であるかどうかを判定することをさらに含んでよい。この方法は、カウントが連続サブスロットしきい値以上である場合に、ページメッセージ受信サブスロットを記憶されたサブスロット番号に調整することを含んでよい。連続サブスロットしきい値は調整可能であってよい。
【０００８】
ウェイクアップレコードは第1のPN符号のウェイクアップレコードであってよく、この方法は、第1のPN符号から第2のPN符号に移動することと、第1のPN符号のウェイクアップレコードを記憶することと、第2のPN符号のウェイクアップレコードが作成されたかどうかを判定することとも含んでもよい。第2のPN符号のウェイクアップレコードが作成されている場合があり、この方法は、第2のPN符号のウェイクアップレコードを使用することを含んでよい。第2のPN符号のウェイクアップレコードが作成されていない場合があり、この方法は、第2のPN符号のウェイクアップレコードを生成し、第2のPN符号の記憶されたサブスロット番号を第1のサブスロットに設定し、ページメッセージ受信サブスロットを第1のサブスロットに初期設定し、第2のPN符号のウェイクアップレコードのカウントを0に初期設定することを含んでよい。
【０００９】
この方法は、ワイヤレス通信デバイスによって実行されてよい。この方法は、ワイヤレス通信デバイスのスリープ時間を延ばすことができる。この方法は、スロットモードにおける1つのサブスクリプションのアウェイク時間を短くすることができる。これによって、デュアルSIMデュアルスタンドバイデバイスにおける二重サブスクリプションウェイクアップ間の衝突を低減させるのを助けることができる。この方法は、ワイヤレス通信デバイスにおけるコールパフォーマンスを向上させることができる。コールパフォーマンスは、スループットの向上、容量の増大、または信頼性の改善を含んでよい。この方法は、ワイヤレスネットワークおよびローミングネットワークの少なくとも一方においてワイヤレス通信デバイスによって実行されてよい。
【００１０】
ページングメッセージはページングチャネルを介して受信されてよい。ページングメッセージがクイックページングチャネルを介して受信され得ることはない。
【００１１】
別の実施形態では、最適化されたウェイクアップのために構成されたワイヤレスデバイスについて説明する。ワイヤレスデバイスは、プロセッサと、プロセッサと電子通信するメモリに記憶されている実行可能な命令とを含む。ワイヤレスデバイスは、ページメッセージ受信サブスロットにおいてページメッセージを受信する。ワイヤレスデバイスはまた、ウェイクアップレコードを更新する。ワイヤレスデバイスはさらに、スリープモードを開始する。
【００１２】
さらに別の実施形態では、最適化されたウェイクアップのためのコンピュータプログラム製品について説明する。コンピュータプログラム製品は、命令を有する非一時的コンピュータ可読媒体を含む。コンピュータプログラム製品は、ページメッセージ受信サブスロットにおいてページメッセージを受信するための命令を含む。コンピュータプログラム製品は、ウェイクアップレコードを更新するための命令も含む。コンピュータプログラム製品は、スリープモードを開始するための命令をさらに含む。
【００１３】
さらに別の実施形態では、ワイヤレス通信のために周期的にウェイクアップするように構成されたワイヤレス通信デバイスについて説明する。ワイヤレス通信デバイスは、ワイヤレス信号を受信するように構成された通信インターフェースを含む。ワイヤレス通信デバイスはプロセッサも含む。プロセッサは、通信インターフェースに動作可能に結合され、プロセッサが所定のサブスロット番号におけるワイヤレス信号においてページメッセージを検出した場合にデバイスをウェイクアップするように構成される。プロセッサは、ウェイクアップレコードを更新するようにも構成される。プロセッサはスリープモードに戻るようにさらに構成される。
【００１４】
さらに別の実施形態では、最適化されたウェイクアップのために構成されたワイヤレスデバイスについて説明する。この装置は、ページメッセージ受信サブスロットにおいてページメッセージを受信するための手段を含む。この装置は、ウェイクアップレコードを更新するための手段も含む。この装置は、スリープモードを開始するための手段をさらに含む。
【００１５】
本発明の他の態様、特徴、および実施形態は、添付の図に関連して本発明の特定の例示的な実施形態についての以下の説明を検討したときに当業者に明らかになろう。本発明の特徴については以下の特定の実施形態および図に関して説明することができるが、本発明のすべての実施形態は、本明細書で説明する有利な特徴のうちの1つまたは複数を含んでよい。言い換えれば、1つまたは複数の実施形態について特定の有利な特徴を有するものとして説明しているが、1つまたは複数のそのような特徴を本明細書において説明する本発明の様々な実施形態に従って使用してもよい。同様に、例示的な実施形態についてデバイス実施形態、システム実施形態、または方法実施形態として以下で説明することができるが、そのような例示的な実施形態を様々なデバイス、システム、および方法において実施できることを理解されたい。
【図面の簡単な説明】
【００１６】
【図１】本明細書において開示する本発明の実施形態が利用され得るワイヤレス通信システムの一例を示す図である。
【図２】本発明のいくつかの実施形態によるワイヤレス通信システムにおける送信機および受信機のブロック図である。
【図３】本発明のいくつかの実施形態による受信機における受信機ユニットおよび復調器の設計のブロック図である。
【図４】本明細書において開示する本発明の実施形態が利用され得る複数のワイヤレスデバイスを含むワイヤレス通信システムを示す図である。
【図５】本発明のいくつかの実施形態によるワイヤレス通信デバイスの最適化ウェイクアップモードのタイミング図である。
【図６】本発明のいくつかの実施形態によるワイヤレス通信デバイスの最適化ウェイクアップモードの別のタイミング図である。
【図７】本発明のいくつかの実施形態によるウェイクアップを最適化するための方法を示す流れ図である。
【図８】本発明のいくつかの実施形態による、擬似雑音(PN)符号の切替え時に最適化されたウェイクアップのための方法を示す流れ図である。
【図９】本発明のいくつかの実施形態によるワイヤレス通信デバイス内に含めることのできる特定の構成要素を示す図である。
【発明を実施するための形態】
【００１７】
ますます多くの人がワイヤレス通信デバイス、たとえばモバイル電話を音声だけでなくデータ通信にも使用するようになっている。CDMA2000は、音声、データ、およびシグナリングサービスをワイヤレス通信デバイスに提供し、かつワイヤレス通信デバイスから音声、データ、およびシグナリングサービスを受けるのに使用されるそのような一規格である。CDMAネットワークは、Universal Terrestrial Radio Access(UTRA)、CDMA2000などの無線技術を実装することができる。UTRAは、WCDMA(登録商標)および低チップレート(LCR)を含み、一方、CDMA2000はInterim Standard 2000(IS-2000)、IS-95規格、およびIS-856規格を対象とする。TDMAネットワークは、Global System for Mobile Communications(GSM(登録商標))などの無線技術を実装することができる。OFDMAネットワークは、Evolved UTRA(E-UTRA)、IEEE802.11、IEEE802.16、IEEE802.20、Flash-OFDMAなどのような無線技術を実装することができる。UTRA、E-UTRA、およびGSM(登録商標)は、Universal Mobile Telecommunication System(UMTS)の一部である。Long Term Evolution(LTE)は、E-UTRAを使用するUMTSのリリースである。UTRA、E-UTRA、GSM(登録商標)、UMTS、およびLong Term Evolution(LTE)は、「第3世代パートナーシッププロジェクト」(3GPP)という名称の組織の文書に記載されている。CDMA2000は、「第3世代パートナーシッププロジェクト2」(3GPP2)という名称の組織の文書に記載されている。
【００１８】
CDMA2000では、ページングチャネルを使用して待機モード(アイドルモードとも呼ばれる)においてワイヤレス通信デバイスにページメッセージを送信する。待機モードの間、ワイヤレス通信デバイスは、基地局から送信される信号を監視するのに必要な回路を維持するために電力を連続的に消費する。待機モードにおいてページメッセージ用のページングチャネルを連続的に監視すると、バッテリー電力が著しく枯渇することがある。言い換えれば、ページングチャネルを監視するのにかかる時間が延びると、電力が過度に消費される。多くのワイヤレス通信デバイスは携帯式であり、内部バッテリーによって電力を供給されるので、監視時間が延びると電力が不必要に消費され、バッテリー寿命が著しく短くなる。電力リソースが枯渇すると、ユーザエクスペリエンスが不十分になり、通信が失敗することもある。したがって、ワイヤレス通信デバイス上の待機時間を短くすると、電力消費量が低減し、確実なユーザエクスペリエンスを実現するのを助けることができる。
【００１９】
図1は、本明細書において開示する本発明の実施形態が利用され得るワイヤレス通信システム100の一例を示す。ワイヤレス通信システム100は、複数の基地局102および複数のワイヤレス通信デバイス104を含む。ワイヤレス通信システム100は、CDMA2000および広帯域符号分割多元接続(WCDMA(登録商標))などの1つまたは複数のCDMA規格ならびに/あるいは何らかの他の規格を実装するように設計されてよい。
【００２０】
各基地局102は、特定の地理的エリア106の通信カバレッジを実現する。「セル」という用語は、用語が使用される文脈に応じて、基地局102および/またはそのカバレッジエリア106を指し得る。本明細書で使用する「ネットワーク」および「システム」という用語は、互換的に使用されることがある。
【００２１】
本出願において利用する「ワイヤレス通信デバイス」および「基地局」という用語は概して、構成要素のアレイを指し得る。たとえば、「ワイヤレス通信デバイス」という用語を本明細書において使用するときは、ワイヤレス通信システムを介して音声通信および/またはデータ通信に使用され得る電子デバイスを指す。ワイヤレス通信デバイス104の例には、携帯電話、スマートフォン、携帯情報端末(PDA)、ハンドヘルドデバイス、ワイヤレスモデム、ラップトップコンピュータ、パーソナルコンピュータ、およびワイヤレス通信が可能な多数の他の携帯デバイスまたは固定デバイスが含まれる。ワイヤレス通信デバイス104は、代わりに、アクセス端末、モバイル端末、移動局、リモート局、ユーザ端末、端末、加入者ユニット、加入者局、モバイルデバイス、ワイヤレスデバイス、ユーザ装置(UE)、またはいくつかの他の同様の用語で呼ばれ得る。ワイヤレス通信デバイスは、ワイヤレスネットワークおよび/またはローミングネットワークにおいて使用されてよい。
【００２２】
「基地局」という用語は、固定位置に取り付けられワイヤレス通信デバイス104と通信するために使用されるワイヤレス通信局を指し得る。基地局102は、代わりに、アクセスポイント(ナノセル、ピコセル、およびフェムトセルを含む)、Node B、evolved Node B、Home Node B、またはいくつかの他の同様の用語で呼ばれ得る。いくつかの実施形態では、基地局102は、移動可能であってよく、適切なネットワークカバレージに望ましいかまたは必要なように位置を変更されてよい。
【００２３】
システム容量を向上させるために、基地局のカバレッジエリア106は、複数のより小さいエリア、たとえば3つのより小さいエリア108a、108b、および108cに区画され得る。より小さい各エリア108a、108b、108cは、それぞれのトランシーバ基地局(BTS)によってサービスされ得る。「セクタ」という用語は、用語が使用される文脈に応じて、BTSおよび/またはそのカバレッジエリア106を指し得る。セクタ化されたセルに対して、そのセルのすべてのセクタのBTSは通常、セルの基地局102内に一緒に位置し得る。
【００２４】
ワイヤレス通信デバイス(たとえば加入者局)104は通常、ワイヤレス通信システム100の全体にわたって分散する。ワイヤレス通信デバイス104は、任意の所与の瞬間においてダウンリンクおよび/またはアップリンク上で1つまたは複数の基地局102と通信してよい。ダウンリンク(または順方向リンク)は、基地局102からワイヤレス通信デバイス104への通信リンクを指し、アップリンク(または逆方向リンク)は、ワイヤレス通信デバイス104から基地局へ102の通信リンクを指す。アップリンクおよびダウンリンクは、通信リンクまたは通信リンクに使用される搬送波を指し得る。
【００２５】
集中型アーキテクチャでは、システムコントローラ110は、基地局102に結合されてよく、基地局102の調整および制御を行うことができる。システムコントローラ110は、単一のネットワークエンティティまたはネットワークエンティティの集合であってよい。別の例として、分散型アーキテクチャでは、基地局102は、必要に応じて互いに通信することができる。したがって、本発明の実施形態は様々なネットワークアーキテクチャと一緒に使用されてよいが、本明細書で本発明の特定の実施形態についてCDMA型ネットワークに関して説明することがある。
【００２６】
図2は、本発明のいくつかの実施形態によるワイヤレス通信システム100における送信機211および受信機213のブロック図を示す。ダウンリンクでは、送信機211は、基地局102の一部であってよく、受信機213は、ワイヤレス通信デバイス104の一部であってよい。アップリンクでは、送信機211は、ワイヤレス通信デバイス104の一部であってよく、受信機213は、基地局102の一部であってよい。いくつかの実施形態では、受信機と送信機を組み合わせるかまたはトランシーバとして実装してよい。
【００２７】
送信機211において、送信(TX)データプロセッサ234は、データ238を受信して処理し(たとえば、フォーマットし、符号化し、インターリーブし)、符号化されたデータを生成する。送信(TX)データプロセッサ234は、コントローラ214からページメッセージを受信してもよい。変調器212は、符号化されたデータに対して変調を実行し、変調された信号を生成する。IS-95システムおよびCDMA2000システムでは、変調器212による処理に、符号化されたデータおよびパイロットデータをウォルシュ符号でカバーしてユーザ固有のデータ、メッセージ、およびパイロットデータをそのそれぞれの符号チャネルに送り、基地局に割り当てられた特定の擬似乱数(PN)オフセットを有するPNシーケンスによって、チャネルに送られたデータを拡散させることを含めてよい。送信機ユニット(TMTR)218は、変調された信号を調整し(たとえば、フィルタリングし、増幅し、アップコンバートし)、アンテナ220を介して送信される、変調されたRF信号を生成する。
【００２８】
受信機213において、アンテナ222は、送信機211および他の送信機から変調されたRF信号を受信する。アンテナ222は、受信されたRF信号を受信機ユニット(RCVR)224に供給する。受信機ユニット224は、受信されたRF信号を調整し(たとえば、フィルタリングし、増幅し、ダウンコンバートし)、調整された信号をデジタル化してサンプルを生成する。復調器226は、以下で説明されるようにサンプルを処理し、復調されたデータを与える。IS-95システムおよびCDMA2000システムでは、復調器226による処理は、基地局においてデータを拡散させるために使用されるのと同じPNシーケンスによってデータサンプルを逆拡散させ、逆拡散されたサンプルをデカバリングして受信されたデータおよびメッセージをそのそれぞれの符号チャネルに送り、受信された信号から回復されたパイロットによって、チャネルに送られたデータをコヒーレントに復調することを含む。受信(RX)データプロセッサ228は、復調されたデータを処理し(たとえば、デインターリーブし復号し)、復号されたデータ232を生成する。一般に、復調器226およびRXデータプロセッサ228による処理は、それぞれ、送信機211における変調器212およびTXデータプロセッサ234による処理を補足するものである。
【００２９】
コントローラ/プロセッサ214および230は、それぞれ、送信機211および受信機213における動作を指示する。メモリ216および236は、それぞれ、送信機211および受信機213により使用されるコンピュータソフトウェアおよびデータの形態で、プログラムコードを記憶する。
【００３０】
図3は、本発明のいくつかの実施形態による受信機213における受信機ユニット324および復調器326の設計のブロック図である。受信機ユニット324内で、受信チェーン342が、受信されたRF信号を処理し、IbbおよびQbbと示されるI(同相)ベースバンド信号およびQ(直角)ベースバンド信号を与える。受信チェーン342は、望ましいかまたは必要に応じて低雑音の増幅、アナログフィルタリング、直交ダウンコンバージョンなどを実行することができる。アナログデジタル変換器(ADC)344は、サンプリングブロック340からのfadcというサンプリングレートで、Iベースバンド信号およびQベースバンド信号をデジタル化し、IadcおよびQadcと示されるIサンプルおよびQサンプルを生成する。一般に、ADCサンプリングレートfadcは、任意の整数または非整数の因子によって、シンボルレートfsymと関連付けられ得る。
【００３１】
復調器326内で、プリプロセッサ346は、アナログデジタル変換器(ADC)344からのIサンプルおよびQサンプルに前処理を実行する。たとえば、プリプロセッサ346は、直流(DC)オフセットを除去すること、周波数オフセットを除去することなどを行ってよい。入力フィルタ348は、ある特定の周波数応答に基づいて、プリプロセッサ346からのサンプルをフィルタリングし、IinおよびQinと示される入力Iサンプルおよび入力Qサンプルを生成する。入力フィルタ348は、IサンプルおよびQサンプルをフィルタリングし、アナログデジタル変換器(ADC)344によるサンプリングに起因する像、ならびにジャマーを抑制することができる。入力フィルタ348はまた、サンプルレートの変換、たとえば、24倍のオーバーサンプリングから2倍のオーバーサンプリングへの変換を実行してもよい。データフィルタ350は、別の周波数応答に基づいて、入力フィルタ348からの入力Iサンプルおよび入力Qサンプルをフィルタリングし、IoutおよびQoutと示される出力Iサンプルおよび出力Qサンプルを生成する。入力フィルタ348およびデータフィルタ350は、有限インパルス応答(FIR)フィルタ、無限インパルス応答(IIR)フィルタ、または他の種類のフィルタによって実装され得る。入力フィルタ348およびデータフィルタ350の周波数応答は、良好な性能を実現するように選択され得る。一設計では、入力フィルタ348の周波数応答は固定され、データフィルタ350の周波数応答は設定可能である。
【００３２】
隣接チャネル干渉(ACI)検出器354は、入力フィルタ348から入力Iサンプルおよび入力Qサンプルを受信し、受信されたRF信号における隣接チャネル干渉(ACI)を検出し、隣接チャネル干渉(ACI)インジケータ356をデータフィルタ350に供給する。隣接チャネル干渉(ACI)インジケータ356は、隣接チャネル干渉(ACI)が存在するかどうかを示すことができ、存在する場合には、隣接チャネル干渉(ACI)が、+200キロヘルツ(KHz)を中心とするより高いRFチャネルに起因し、かつ/または、-200kHzを中心とするより低いRFチャネルに起因することを示し得る。データフィルタ350の周波数応答は、望ましい性能を実現するように、隣接チャネル干渉(ACI)インジケータ356に基づいて調整され得る。
【００３３】
等化器/検出器352は、データフィルタ350から出力Iサンプルおよび出力Qサンプルを受け取り、これらのサンプルに対して、等化、整合されたフィルタリング、検出、および/または他の処理を実行する。たとえば、等化器/検出器352は、IサンプルおよびQサンプルのシーケンスとチャネル推定値が与えられた場合に送信された可能性が最も高いシンボルのシーケンスを決定する最大可能性列推定器(MLSE)を実装することができる。
【００３４】
図4は、本明細書において開示する本発明の実施形態が利用され得る複数のワイヤレスデバイスを含むワイヤレス通信システム400を示す。図4のワイヤレス通信システム400は、上記に図1に関連して説明するワイヤレス通信システム100の一例であってよい。たとえば、図4の基地局402およびワイヤレス通信デバイス404はそれぞれ、図1の基地局102およびワイヤレス通信デバイス104に相当し得る。
【００３５】
ワイヤレス通信システム400(たとえば、多元接続システム)における通信は、ダウンリンク480またはアップリンク482などの1つまたは複数のワイヤレスリンクを介した送信によって実現されてよい。この通信リンクは、単入力単出力(SISO)、多人力単出力(MISO)、または多入力多出力(MIMO)システムを介して確立され得る。MIMOシステムは、それぞれデータ送信用の複数の(NT)送信アンテナおよび複数の(NR)受信アンテナを備えた送信機および受信機を含む。SISOシステムおよびMISOシステムはMIMOシステムの特定の例である。複数の送信アンテナおよび受信アンテナによって形成される追加の次元を使用する場合、MIMOシステムは、性能を向上させる(たとえば、スループットの向上、容量の増大、および/または信頼性の改善)ことができる。
【００３６】
MIMOシステムは、時分割複信(TDD)システムと周波数分割複信(FDD)システムの両方をサポートすることができる。TDDシステムでは、ダウンリンク480送信とアップリンク482送信とが同じ周波数領域上で行われるので、相反定理によりアップリンクチャネルからダウンリンクチャネルの推定が可能である。これによって、送信側ワイヤレスデバイスは、送信側ワイヤレスデバイスによって受信される通信から送信ビームフォーミング利得を抽出することができる。
【００３７】
ワイヤレス通信システム400は、利用可能なシステムリソース(たとえば、帯域幅および送信電力)を共有することによって、複数のワイヤレス通信デバイス404との通信をサポートすることができる多元接続システムであり得る。そのような多元接続システムの例には、符号分割多元接続(CDMA)システム、広帯域符号分割多元接続(WCDMA(登録商標))システム、時分割多元接続(TDMA)システム、周波数分割多元接続(FDMA)システム、直交周波数分割多元接続(OFDMA)システム、シングルキャリア周波数分割多元接続(SC-FDMA)システム、第3世代パートナーシッププロジェクト(3GPP)ロングタームエボリューション(LTE)システム、および空間分割多元接続(SDMA)システムなどがある。
【００３８】
ワイヤレス通信デバイス404は、任意の所与の瞬間においてダウンリンク480および/またはアップリンク482上で0個、1個、または複数の基地局402と通信してよい。上述のように、ダウンリンク480(または順方向リンク)は、基地局402からワイヤレス通信デバイス404への通信リンクを指し、アップリンク482(または逆方向リンク)は、ワイヤレス通信デバイス404から基地局へ402の通信リンクを指す。
【００３９】
ワイヤレス通信デバイス404は、アクティブモード、待機モード、および非アクティブモードなどのいくつかのモードまたは状態で動作してよい。アクティブモードでは、ワイヤレス通信デバイスは1つまたは複数の基地局402とデータをアクティブに交換してよい(たとえば、音声またはデータ)。待機モード(すなわち、アイドルモード)では、ワイヤレス通信デバイス404は、一般的ページメッセージ(GPM)またはワイヤレス通信デバイス404にアドレス指定されたダイレクトメッセージなどのメッセージの有無についてページングチャネルを監視してよい。非アクティブモードまたはスリープモードでは、ワイヤレス通信デバイス404は、できるだけ多くの回路の電源を落とすことによって電力消費量を低減させる。言い換えれば、非アクティブモードまたはスリープモードでは、ワイヤレス通信デバイス404はページングチャネルを監視することもまたはアクセス手順を実行することもない。
【００４０】
待機モードにおけるワイヤレス通信デバイス404による電力消費量によって、利用可能なバッテリーリソースが低減する。このため、一般にバッテリーを充電し直すまでの時間が短くなる。待機モードでの電力消費量は一般に、非アクティブモードでの電力消費量の何倍も多い。待機モードに費やされる時間を短くすると、ワイヤレス通信デバイス404の全体的なバッテリー寿命を直接的にかつ著しく向上させることができる。したがって、待機モードにおけるワイヤレス通信デバイス404の電力消費量を最小限に抑えてバッテリー寿命を延ばすことが望ましい。ワイヤレス通信デバイスの機能がより豊富になるにつれて電力の効率および節約がますます重要になりつつある。
【００４１】
一構成では、待機モードにおける電力消費量を低減させるために、ページングチャネル上のメッセージを指定された回数にわたってワイヤレス通信デバイス404に送信してよい。たとえば、CDMA2000システムでは、ページングチャネルが番号付けされた「スロット」に分割される(すなわち、スロット付きページングチャネル)。各スロットはスロットサイクルインデックス(SCI)に相関付けられてよい。
【００４２】
基地局402は、ページメッセージを受信すべきワイヤレス通信デバイス404に1つまたは複数のスロットを割り当ててよい。たとえば、IS-2000規格によれば、ページングチャネルは、各々の持続時間が80ミリ秒(msec)である2つのページングチャネルスロットに区画される。各ページングチャネルスロットは4つの20msecフレームまたは20msecサブスロットにさらに区画される。一群のワイヤレス通信デバイス404を各ページングチャネルスロットに割り当ててよい。
【００４３】
スロット付きページングチャネルでは、ワイヤレス通信デバイス404は、ページングチャネルを基地局402からのメッセージの有無について連続的ではなく周期的に監視する。言い換えれば、ワイヤレス通信デバイス404は(ワイヤレス通信デバイスに割り当てられたスロットサイクルインデックス(SCI)に対応する)特定のスロットにおいてウェイクアップしてページメッセージを復号することができる。ワイヤレス通信デバイス404は、ワイヤレス通信デバイス404に割り当てられたスロットまたはサブスロットよりも前に非アクティブモードからウェイクアップし、待機モードに切り替わってページメッセージを検出し、アクティブモードを開始してメッセージ用のページングチャネルを処理する。言い換えれば、ワイヤレス通信デバイス404は所定のサブスロット番号において(たとえば、所定のサブスロット番号の直前に)ウェイクアップし、ワイヤレス信号を介して受信されたページメッセージを処理することができる。ワイヤレス通信デバイス404は、さらなる通信が必要とされない場合に非アクティブモードに復帰してよい。このようにして、待機モード時間を短くすることによって電力が節約される。
【００４４】
この構成では、ワイヤレス通信デバイス404は、受信されたメッセージが、ワイヤレス通信デバイス404がさらなるアクションを実行することを要求している場合にはアクティブ状態またはアウェイク状態のままになる。待機状態またはアクティブ状態でないときは、ワイヤレス通信デバイス404は非アクティブモードに復帰する。しかし、この構成は、基地局402が、非アクティブモードまたはスリープモードの間にワイヤレス通信デバイス404にページメッセージを送信した場合、ページメッセージがワイヤレス通信デバイス404によって検出されることはないので問題であり得る。
【００４５】
さらに、この構成では、基地局402が、ページメッセージが送信されるスロットまたはサブスロットを変更した場合、ワイヤレス通信デバイス404は基地局402からのページメッセージを連続的に失う恐れがある。あるいは、基地局402が現在ワイヤレス通信デバイス404に割り当てられているのとは異なるスロットでページメッセージを送信した場合、ワイヤレス通信デバイス404は、ページメッセージが検出されるまでアウェイクである可能性がある。言い換えれば、ワイヤレス通信デバイス404は、ページメッセージが送信されないスロットのために不必要にアウェイクとなり、電力が不必要に浪費される。
【００４６】
スロット付きページングチャネルの別の構成では、ワイヤレス通信デバイス404は、基地局402からのページメッセージを検出するためにまたはページメッセージが受信されるまで2つの80msecスロットの間アウェイクしたままである。2つのスロットの各々は、4つの20msecサブスロットに分割されてよい。この構成では、ワイヤレス通信デバイス404は8つの20msec(たとえば、160msec)サブスロットの間アウェイク状態のままでいる必要があることがある。
【００４７】
最適なネットワークでは、基地局402は常に、第1のサブスロットの間ワイヤレス通信デバイス404にページメッセージを送信する。これによって、ワイヤレス通信デバイス404は、ページメッセージが受信された直後にスリープモードを開始することができる。このようにして、ワイヤレス通信デバイス404が待機モードにおいてページメッセージを連続的に探索することがなくなるので非アクティブモードにおいて費やされる時間が延びる。
【００４８】
最適ではないネットワークでは、基地局402は、後のサブスロットの間にワイヤレス通信デバイス404にページメッセージを送信することがある。基地局402は、すべてのワイヤレス通信デバイス404が確実にページメッセージを受信するように後のサブスロットにおけるページメッセージを送信することがある。しかしながら、この手法は、ワイヤレス通信デバイス404を必要よりも長い期間にわたって待機モードのままにさせるので非効率的である。したがって、基地局402が第1のサブスロットよりも後でワイヤレス通信デバイス404にページメッセージを送信すると、ワイヤレス通信デバイス404は、情報が受信されることもまたは復号されることもない追加のサブスロットの間待機モードのままになる。たとえば、基地局402が第8のサブスロットにおいてワイヤレス通信デバイス404にページメッセージを送信した場合、ワイヤレス通信デバイス404は最初の7つのサブスロット(すなわち、140msec)の間不必要に待機モードのままになり得る。
【００４９】
別の構成では、ワイヤレス通信デバイス404はクイックページングチャネル(QPCH)を使用してよい。QPCHは、ページングチャネルとは別個のチャネルである。QPCHは、ページメッセージを受信せず、ページングチャネル上のページメッセージを受信するために非アクティブモードから待機モードに切り替えるかどうかをワイヤレス通信デバイス404に通知するビットを検出するのに使用される。
【００５０】
QPCHは、ページングチャネルに関連して使用され、ページングチャネル用の制御チャネルのように働く。各QPCHスロットは、対応するページングチャネルスロットに関連付けられるが、関連付けられたページングチャネルスロットよりも前に送信される。たとえば、QPCHスロットのスロット2はページングチャネルのスロット2よりも100ミリ秒(msec)前に送信される。QPCH上のページングインジケータビットは、符号化されたページメッセージが関連するページングチャネルスロットにおいてページングチャネル上で送信されるところであることをワイヤレス通信デバイス404に通知する。しかしながら、QPCHは、ページング指示ビットを受信することもまたは復号することもできないことがある。この場合、ページングチャネルに送信されるページメッセージは、ワイヤレス通信デバイス404によって受信されることも復号されることもない。
【００５１】
QPCHは、ワイヤレス通信デバイス404にフォールスアラームを送信することもある。フォールスアラームの場合、QPCHは、ページングメッセージが存在しないときに次のスロットにおいてページングメッセージが受信されることをワイヤレス通信デバイス404に通知する。この場合、ワイヤレス通信デバイス404は、ページメッセージが受信されないときに待機モードにおいて動作することによって電力を浪費する。
【００５２】
前述のように、基地局402はワイヤレス通信デバイス404にページメッセージを送信してよい。ページメッセージはダイレクトページメッセージ486であってもまたは一般的ページメッセージであってもよい。いくつかの例では、一般的ページメッセージ(GPM)は空の一般的ページメッセージ488である。追加または代替として、ダイレクトページメッセージ486も一般的ページメッセージであってよい。
【００５３】
基地局402は、ダイレクトページメッセージ486および/または空の一般的ページメッセージ488を生成してワイヤレス通信デバイス404に送信するページメッセージモジュール484を含んでよい。ワイヤレス通信デバイス404は、ダイレクトページメッセージ486および/または空の一般的ページメッセージ488を検出してもよい。ワイヤレス通信デバイス404は、ページマッチングアルゴリズムに必要とされない次のメッセージ用のデータも検出してもよい。
【００５４】
ダイレクトページメッセージ486は、着信呼システム更新パラメータ(たとえば、オーバーヘッドメッセージ)が存在することをワイヤレス通信デバイス404に通知してよい。ワイヤレス通信デバイス404がダイレクトページメッセージ486を検出した場合、ワイヤレス通信デバイス404はアクセス手順を実行してよい。
【００５５】
空の一般的ページメッセージ(GPM)488は、すべてのダイレクトページメッセージ486が基地局402によって送信されたことを示してよい。ワイヤレス通信デバイス404は、空の一般的ページメッセージ488を検出した場合、さらなるページメッセージを待つのではなくただちにスリープしてよい(たとえば、非アクティブモード)。
【００５６】
本明細書において開示する本発明の実施形態が利用され得る一構成では、ワイヤレス通信デバイス404は最適化ウェイクアップモジュール460を含んでよい。最適化ウェイクアップモジュール460は、スリープ時間を延ばすのを助けることができる。最適化ウェイクアップモジュール460は、ワイヤレス通信デバイス404がワイヤレス通信デバイス404のウェイクアップ時間を第1のサブスロットよりも後のサブスロットに調整するのを可能にしてよい。このようにして、ワイヤレス通信デバイス404は、ページメッセージが受信されるのと同じサブスロットにおいて待機モードを開始してよい。したがって、ワイヤレス通信デバイス404が不必要に待機モードである時間が短縮される。
【００５７】
さらに、最適化ウェイクアップモジュール460は、スロットモードにおける1つのサブスクリプションの待機時間を短縮することができる。このようにして、最適化ウェイクアップモジュール460は、デュアルSIMデュアルスタンドバイ(DSDS)デバイス(または複数のSIMを含む任意のデバイス)における二重サブスクリプションウェイクアップ間の衝突を低減させることができる。
【００５８】
最適化ウェイクアップモジュール460は、1つまたは複数のウェイクアップレコード462を含み得る。各ウェイクアップレコード462は、記憶されたサブスロット番号464、カウント466、セルID468、PN(擬似雑音)符号470、および/またはレコードID472に相当してよい。最適化ウェイクアップモジュール460上のウェイクアップレコード462の数は、ワイヤレス通信デバイス404に利用可能なセルID468およびPN符号470の数に依存してよい。
【００５９】
1つのウェイクアップレコード462だけが一度にアクティブであってよい。アクティブウェイクアップレコード462は、ワイヤレス通信デバイス404の現在のセルID468および現在のPN符号470に相当してよい。Table 1(表1)は2つのウェイクアップレコード462を示す。
【００６０】
【表１】
0005908985.tif 000002
【００６１】
記憶されたサブスロット番号464は、ページメッセージが最近復号されたサブスロットまたはフレームを指し得る。言い換えれば、記憶されたサブスロット番号464は、ワイヤレス通信デバイス404がページメッセージを検出し復号するために待機モードである必要があった特定のサブスロットを指し得る。基地局402は、ページメッセージが受信され復号される必要なサブスロットの割当ておよび再割当てを行ってよい。ワイヤレス通信デバイス404は、基地局402によるサブスロット割当てに基づいて、記憶されたサブスロット番号464を変更しかつ/または更新してよい。言い換えれば、新しいサブスロット番号が記憶されたサブスロット番号464に置き換わる。
【００６２】
いくつかの例では、ウェイクアップレコード462は記憶されたサブスロット番号464を1つのみ有してよい。このことが可能であるのは、記憶されたサブスロット番号464が、ウェイクアップレコード462が現在カウントしているサブスロット番号であるときである。言い換えれば、基地局402は、記憶されたサブスロット番号464と同じサブスロット番号の間にページメッセージを送信する。たとえば、基地局402は、記憶されたサブスロット番号464がサブスロット6であるとき、サブスロット6の間にページメッセージを送信する。
【００６３】
ワイヤレス通信デバイス404がサブスロットにおいてページメッセージを復号したときに、カウント466の保存および/または増分が実行される。ワイヤレス通信デバイス404が、記憶されたサブスロット番号464と同じサブスロット番号を有するサブスロットにおいてページメッセージを復号したときに、カウントを増分させてよい。ワイヤレス通信デバイス404が、記憶されたサブスロット番号464と異なるサブスロット番号を有するサブスロットにおいてページメッセージを復号した場合、記憶されたサブスロット番号464を新しいサブスロット番号に設定してよく、カウント466を再設定してよい(すなわち、0に設定してよい)。
【００６４】
たとえば、第3のサブスロットにおいて空の一般的ページメッセージ(GPM)488またはダイレクトページメッセージ486が検出された場合、記憶されたサブスロット番号を3に設定してよく、カウント466を0に設定してよい。ワイヤレス通信デバイス404がその後(すなわち、ワイヤレス通信デバイス404に割り当てられたスロットサイクルインデックス(SCI)に対応する次のスロットにおいて)第3のサブスロットにおける別の空の一般的ページメッセージ488またはダイレクトページメッセージ486を復号した場合、記憶されたサブスロット番号は3のままであってよく、カウントを1に増分させてよい。このプロセスは、以下のTable 2(表2)に示すように繰り返されてよい。たとえば、ワイヤレス通信デバイスは、Table 2(表2)にレコードID472の2および3で示されている2つの追加のページメッセージを受信してよい。
【００６５】
【表２】
0005908985.tif 000003
【００６６】
ワイヤレス通信デバイス404がその後第4のサブスロットにおいてページメッセージを復号した場合、Table 2(表2)のレコードID472の4に示されているように、記憶されたサブスロット番号464を4に設定してよく、カウント466を0に再設定してよい。サブスロット3について複数のレコードが動かされる(たとえば、レコードID472の0〜3)が、サブスロット3について単一のウェイクアップレコード462を使用してよく、その場合、サブスロット3においてさらなるページメッセージが受信されるたびにカウント466のみが変化することに留意されたい。この後者の手法によれば、Table 2(表2)のレコードID472の0がサブスロット3に相関付けられ、のレコードID472の1がサブスロット4に相関付けられる。
【００６７】
いくつかの構成では、ワイヤレス通信デバイス404がその後、以前にカウントされたが現在はカウントされていないサブスロットにおいてページメッセージを復号したときに、カウント466を0に再設定するかまたは引き続き増分させてよい。たとえば、Table 2(表2)において、ワイヤレス通信デバイス404がその後、第3のサブスロットにおいてページメッセージを復号した場合、レコードID472の5(図示せず)を0に再設定するかまたは4に増分させてよい。
【００６８】
ワイヤレス通信デバイス404は、連続サブスロットしきい値474も含み得る。連続サブスロットしきい値474はあらかじめ定義されたしきい値であってよい。一構成では、連続サブスロットしきい値474は設定可能(たとえば、調整可能または可変)であってよい。たとえば、連続サブスロットしきい値474が設定可能である場合、基地局402はワイヤレス通信デバイス404に関する連続サブスロットしきい値474を変更または更新してよい。
【００６９】
カウントが連続サブスロットしきい値474以上であるとき、最適化ウェイクアップモジュール460はページメッセージ受信サブスロット476を記憶されたサブスロット番号464に設定してよい。ページメッセージ受信サブスロット476は、ワイヤレス通信デバイス404がページメッセージの受信をどのサブスロットから開始すべきかをワイヤレス通信デバイス404に示すことができる。最初に、ページメッセージ受信サブスロット476を第1のサブスロット(たとえば、スロット境界)に設定してよい。カウント466が再設定された(たとえば、0に設定された)ときはいつでも、ページメッセージ受信サブスロット476も第1のサブスロットに再設定してよい。たとえば、ページメッセージ受信サブスロット476が第3のサブスロットに設定された場合、ワイヤレス通信デバイス404は第1のサブスロットおよび第2のサブスロットの間はスリープしたままであるが、第3のサブスロットよりも前にウェイクアップしてページメッセージを受信し、ページマッチングを実行してよい。
【００７０】
最適化されたウェイクアップを使用すると、ワイヤレス通信デバイス404のスリープモード時間を延ばすことができる。スリープモード持続時間を、ページメッセージが送信されるサブスロットに応じて異なる時間だけ延ばすことができる。以下のTable 3(表3)は、ページメッセージが送信されるサブスロット番号に基づいてスリープモード時間が延びる割合を示す。
【００７１】
【表３】
0005908985.tif 000004
【００７２】
Table 3(表3)は、最適化ウェイクアップモジュール460が、ワイヤレス通信デバイス404が待機モードにおいてページメッセージの有無について監視するのに費やす待機時間の長さを短くすることができることを示す。最適化されたウェイクアップは、1xLayer3および1xLayer1のソフトウェア変更によって実施されてよい。
【００７３】
さらに、ローエンドチップセットでは、スリープモード時間を延ばすと非常に有益であることがある。たとえば、最適化されたウェイクアップはデュアルSIMデュアルスタンドバイ(DSDS)において有用であることがある。デュアルSIMデュアルスタンドバイ(DSDS)を使用するワイヤレス通信デバイス404は、複数の無線アクセス技術(RAT)を使用して通信を行うことのできる任意のワイヤレス通信デバイス404であってよい。たとえば、最適化ウェイクアップモジュール460はCDMAウェイクアップとGSM(登録商標)ウェイクアップの衝突を低減させることができる。
【００７４】
デュアルSIMデュアルスタンドバイ(DSDS)などの多重SIM技法は、中国、インド、東南アジア、ラテンアメリカ、およびその他の市場において普及している機能である。デュアルSIMデュアルスタンドバイ(DSDS)を利用する市場において競争力を有するには、ワイヤレス通信デバイス404の電力消費量を最適化しハードウェアコストを低減させることが必要になる場合がある。たとえば、電力消費量が高くかつデュアル受信機を有するワイヤレス通信デバイス404がデュアルSIMデュアルスタンドバイ(DSDS)市場において競合することはできない。したがって、デュアルSIMデュアルスタンドバイ(DSDS)ワイヤレス通信デバイス404のハードウェアコストおよび電力消費量を低減させることが望ましい。
【００７５】
図5は、本発明のいくつかの実施形態によるワイヤレス通信デバイス104の最適化ウェイクアップモードのタイミング図である。タイミング図は、4つのサブスロット527a〜527dまたはフレームに分離されたページングチャネルのスロットを含む。サブスロット527a〜527dは、スロット境界529を含むサブスロット境界541によって分割されてよい。図を単純にするために、1つのスロット境界529および1つのサブスロット境界541のみを示している。いくつかの構成では、サブスロット527a〜527dは、持続時間が20ミリ秒(msec)であってよく、IS-2000規格によって定義された、2つの80msecの区画されたページングチャネルスロットの一方を形成するように組み合わされてよい。さらに、サブスロット527a〜527dはスロットサイクルインデックス(SCI)に相関付けられてよい。
【００７６】
示したタイミング図では、ページメッセージ受信サブスロット476はサブスロット3(すなわち、第3のサブスロット527c)に設定されてよい。ページメッセージ受信サブスロット476がサブスロット3に設定されると、ワイヤレス通信デバイス104は、ウェイクアップしてページメッセージを受信しページマッチングを実施することを第3のサブスロット527cの直前まで行わない(たとえば、ワイヤレス通信デバイス104は、スリープモード525a〜525bであり、待機モードを開始しない)。したがって、ワイヤレス通信デバイス104は、第1のサブスロット527aおよび第2のサブスロット527bの間スリープモード525のままであってよい。ワイヤレス通信デバイス104は、第3のサブスロット527cよりも前に、ウォームアップ手順533および再取得手順535を実行するのに間に合うようにウェイクアップしてよい。再取得手順535は、基地局102と同期すること、基地局102に整列すること、どの基地局102が最適であるかを判定することなどを含んでよい。
【００７７】
ワイヤレス通信デバイス104は、第3のサブスロット527cの間にページメッセージ531を受信してよい。この例では、基地局102が第3のサブスロット527cの間にページメッセージを送信すると仮定する。基地局102が第3のサブスロット527cにおいてページメッセージを送信しない場合、ワイヤレス通信デバイス104は、ページメッセージが受信される(531)かまたは8番目のサブスロット(図示せず)が完了するまでアウェイクしたままである。第3のサブスロット527cに続くサブスロットのどれにもページメッセージが含まれていない場合、ワイヤレス通信デバイス104はページメッセージ受信サブスロット476を第1のサブスロット527aに、ウェイクアップレコード462内の記憶されたサブスロット番号464を第3のサブスロット527cに、ウェイクアップレコード462内のカウントを0に再設定してよい。このようにして、ウェイクアップレコード462を更新してよい。
【００７８】
ワイヤレス通信デバイス104が第3のサブスロット527cにおいてページメッセージを受信した(531)場合、ワイヤレス通信デバイス104はウェイクアップレコード462内のカウント466を増分させてよい。ワイヤレス通信デバイス104は復号ページメッセージ手順537も使用し得る。ページメッセージが空の一般的ページメッセージ(GPM)488である場合、ワイヤレス通信デバイス104は(たとえば、第4のサブスロット527dにおいて)ただちにスリープモード525dを開始してよい。ページメッセージがダイレクトページメッセージ486である場合、ワイヤレス通信デバイス104はアクセス手順539dを実行してよい。
【００７９】
ワイヤレス通信デバイス104がその後第2のサブスロット527bにおいてページメッセージを受信した場合、ワイヤレス通信デバイス104はウェイクアップレコード462内のカウント466を再設定してよい。さらに、ワイヤレス通信デバイス104は、記憶されたサブスロット番号464を第3のサブスロット527cではなく第2のサブスロット527bとして示す新しいウェイクアップレコード462を作成してよい。このことは以下に図6に詳しく示されている。
【００８０】
図5のタイミング図が、ページングチャネルを介して受信されたページメッセージのタイミングを示しており、クイックページングチャネル(QPCH)上で受信されたデータまたはビットのタイミングを示すものではないことに留意されたい。本明細書において説明するワイヤレス通信デバイス104は、QPCHではなくページングチャネルを監視する。言い換えれば、ページングメッセージがクイックページングチャネルを介して受信されることはない。
【００８１】
本明細書において説明する本発明の実施形態は、QPCHの有無にかかわらず有効であり得る。QPCHの場合、QPCHは次のページングメッセージを示すページインジケータビットの受信に失敗するかまたはページインジケータビットを失うことがある。この場合、ワイヤレス通信デバイス104は、最適化ウェイクアップモジュール460に基づいてウェイクアップしページングメッセージの有無を監視する。
【００８２】
図6は、本発明のいくつかの実施形態によるワイヤレス通信デバイス104の最適化ウェイクアップモードの別のタイミング図である。図6のタイミング図は、上記に図5に関連して説明した対応する要素529、541、527a〜527d、533、535および537と同様なスロット境界629、サブスロット境界641、サブスロット627a〜627d、ウォームアップ手順633、再取得手順635、および復号ページメッセージ手順637を含んでよい。サブスロット627a〜627dはスロットサイクルインデックス(SCI)に相関付けられてよい。
【００８３】
ワイヤレス通信デバイス104がその後第2のサブスロット527bにおいてページメッセージを受信した場合、ワイヤレス通信デバイス104はウェイクアップレコード462内のカウント466を再設定してよい。さらに、ワイヤレス通信デバイス104は、記憶されたサブスロット番号464を第3のサブスロット527cではなく第2のサブスロット527bとして示す新しいウェイクアップレコード462を作成してよい。
【００８４】
示したタイミング図では、第2のサブスロット627bにおいてページメッセージが受信されたときにページメッセージ受信サブスロット476をサブスロット2(すなわち、第2のサブスロット627b)に設定してよい。ページメッセージ受信サブスロット476が第2のサブスロット627b以外のサブスロット627に設定された場合、ワイヤレス通信デバイス104はページメッセージ受信サブスロット476を第2のサブスロット627bに変更してよい。
【００８５】
しかし、いくつかの例では、ワイヤレス通信デバイス104は、連続サブスロットしきい値474に達するかまたは連続サブスロットしきい値474を超えるまでページメッセージ受信サブスロット476を第2のサブスロット627bに変更することができない。たとえば、ワイヤレス通信デバイス104は、第2のサブスロット627bにおいて4つの以後のページメッセージを受信し、そのレコードID472のウェイクアップレコード462内のカウント466を4に等しくしてよい。ワイヤレス通信デバイス104は次いで、第4のサブスロット627dにおいて単一のページメッセージを受信してよい。連続サブスロットしきい値474が3以上に設定された場合、ワイヤレス通信デバイス104がページメッセージ受信サブスロット476を変更することはできなくなる。次いで、ワイヤレス通信デバイス104が再び第2のサブスロット627bにおいて以後のページメッセージを受信した場合、元のレコードのカウント466を増分させてよく、ページメッセージ受信サブスロット476は第2のサブスロット627bのままであってよい。このようにして、基地局102が限られた数のページメッセージをそれぞれに異なるサブスロット627a〜627dにおいて送信する場合でも、基地局102が、ウェイクアップレコード462内の記憶されたサブスロット番号464に相関付けられたサブスロット627a〜627dにページメッセージを再び送信したときにワイヤレス通信デバイス104は最適化ウェイクアップ手順をさらに実行することができる。さらに、エラー、反射などによって異なるサブスロット627a〜627dにおいて受信される周期的なページメッセージは、最適化ウェイクアップ手順に最小限の影響を与える。
【００８６】
図6を再び参照するとわかるように、ページメッセージ受信サブスロット476が第2のサブスロット627bに設定されると、ワイヤレス通信デバイス104は、ウェイクアップしてページメッセージを受信しページマッチングを実施することを第2のサブスロット627bまで行わない(たとえば、ワイヤレス通信デバイス104はたとえばスリープモード625aである)。したがって、ワイヤレス通信デバイス104は、第1のサブスロット627aの間スリープモード625aのままであってよい。ワイヤレス通信デバイス104は、第2のサブスロット627bよりも前に、ウォームアップ手順633および再取得手順635を実行するのに間に合うようにウェイクアップしてよい。この最適化ウェイクアップ手順は、ワイヤレス通信デバイス104がより長い期間の間スリープモード625のままでいるのを可能にする。
【００８７】
ワイヤレス通信デバイス104は、第2のサブスロット627bの間にページメッセージ631を受信してよい。この例では、基地局102が第2のサブスロット627bの間にページメッセージを送信すると仮定する。ワイヤレス通信デバイス104が第2のサブスロット627bにおいてページメッセージ631を受信した場合、ワイヤレス通信デバイス104はウェイクアップレコード462内のカウント466を増分させてよい。ワイヤレス通信デバイス104は復号ページメッセージ手順637も使用し得る。ページメッセージが空の一般的ページメッセージ(GPM)488である場合、ワイヤレス通信デバイス104は(たとえば、第3のサブスロット627cにおいて)ただちにスリープモード625cを開始し、第4のサブスロット627dにおいてスリープモード625dを続けてよい。
【００８８】
ページメッセージがダイレクトページメッセージ486である場合、ワイヤレス通信デバイス104は第3のサブスロット627cにおいてアクセス手順639cを実行し、必要ならば第4のサブスロット627dにおいてアクセス手順639dを実行してよい。ワイヤレス通信デバイス104が第3のサブスロット627cにおいてアクセス手順639cを完了した場合、ワイヤレス通信デバイス104は第4のサブスロット627dにおいてスリープモード625dを開始してよい。概して、本発明の実施形態において説明する最適化ウェイクアップ手順は、ワイヤレス通信デバイス104が待機モードである時間を短くするのを可能にし、それによって電力の節約を向上させる。
【００８９】
図7は、本発明のいくつかの実施形態によるウェイクアップを最適化するための方法700を例示する流れ図を示す。方法700は、ワイヤレス通信デバイス104によって実行されてよい。ワイヤレス通信デバイス104は、ページメッセージ受信サブスロット476においてページメッセージを受信してよい(702)。上述のように、ページメッセージ受信サブスロット476は、ワイヤレス通信デバイス104に割り当てられたスロットサイクルインデックス(SCI)に対応するサブスロット(たとえば、サブスロット527a〜527d)の1つであってよい。ワイヤレス通信デバイス104は、サブスロット527a〜527dにおいて空の一般的ページメッセージ(GPM)488および/またはダイレクトページメッセージ486を検出してよい(704)。
【００９０】
サブスロット527a〜527dはサブスロット番号に対応してよい。たとえば、第2のサブスロット527bはサブスロット番号2に対応してよい。ワイヤレス通信デバイス104は次いで、サブスロット番号がアクティブウェイクアップレコード462内の記憶されたサブスロット番号464と一致するかどうかを判定してよい(706)。
【００９１】
ページメッセージが検出された(704)サブスロット番号が記憶されたサブスロット番号464ではない場合、ワイヤレス通信デバイス104はページメッセージ受信サブスロット476を第1のサブスロット(たとえば、第1のサブスロット527a)に再設定してよい(708)。ワイヤレス通信デバイス104は、ウェイクアップレコード462のカウント466を0に再設定してもよい(710)。ワイヤレス通信デバイス104は、サブスロット番号を記憶されたサブスロット番号464として設定してよい(712)。ページメッセージを再設定するステップ(708)、カウント466を再設定するステップ(710)、および/またはサブスロット番号464を設定するステップ(712)を実行すると、ウェイクアップレコード462を更新することができる。
【００９２】
ワイヤレス通信デバイス104は、受信されたページメッセージが空の一般的ページメッセージ(GPM)488であるかそれともダイレクトページメッセージ486であるかを判定してよい(720)。受信されたページメッセージが空の一般的ページメッセージ(GPM)488である場合、ワイヤレス通信デバイス104はスリープモードを開始してよい(722)。この場合、ワイヤレス通信デバイス104は、ページメッセージ受信サブスロット476によって定義される次のサブスロットまでスリープモードのままであってよい。ワイヤレス通信デバイス104は次いで、方法700を再び開始してよい。
【００９３】
受信されたページメッセージがダイレクトページメッセージ486である場合、ワイヤレス通信デバイス104はアクセス手順を実行してよい(724)。アクセス手順が実行された(724)後、ワイヤレス通信デバイス104はスリープモードを開始してよい(722)。ワイヤレス通信デバイス104は次いで、方法700を再び開始してよい。
【００９４】
ページメッセージが検出された(704)サブスロット番号が記憶されたサブスロット番号464である場合、ワイヤレス通信デバイス104はウェイクアップレコード462のカウント466を増分させてよい(714)。このようにして、ウェイクアップレコード462が更新される。ワイヤレス通信デバイス104は次いで、カウント466が連続サブスロットしきい値474以上であるかどうかを判定してよい(716)。
【００９５】
カウント466が連続サブスロットしきい値474以上である場合、ワイヤレス通信デバイス104はページメッセージ受信サブスロット476を記憶されたサブスロット番号464に調整してよく(718)、それによってウェイクアップレコード462が更新される。ワイヤレス通信デバイス104は、判定(720)に基づいて、上述のように、スリープモードを開始する(722)かまたはアクセス手順を実行する(724)。ワイヤレス通信デバイス104は次いで、方法700を再び開始してよい。
【００９６】
カウント466が連続サブスロットしきい値474以上でない場合、ワイヤレス通信デバイス104はページメッセージ受信サブスロット476に対して調整を施さない。ワイヤレス通信デバイス104は次いで、受信されたページメッセージが空の一般的ページメッセージ(GPM)488であるかそれともダイレクトページメッセージ486であるかを判定してよい(720)。ワイヤレス通信デバイス104は、判定(720)に基づいて、上述のように、スリープモードを開始する(722)かまたはアクセス手順を実行する(724)。ワイヤレス通信デバイス104は次いで、方法700を再び開始してよい。
【００９７】
図8は、本発明のいくつかの実施形態による、擬似雑音(PN)符号470の切替え時に最適化されたウェイクアップのための方法800を例示する流れ図を示す。方法800は、ワイヤレス通信デバイス104によって実行されてよい。ワイヤレス通信デバイス104は、第1のPN符号の確立されたウェイクアップレコード462を有してよい。ワイヤレス通信デバイス104は、第1のPN符号からホームシステムの第2のPN符号に移動する(802)。ワイヤレス通信デバイス104は、第1のPN符号のウェイクアップレコード462を記憶してよい(804)。たとえば、第1のPN符号のウェイクアップレコード462は将来使用できるように記憶されてよい(804)。
【００９８】
ワイヤレス通信デバイス104は、第2のPN符号が対応するウェイクアップレコード462を有するかどうかを判定してよい(806)。言い換えれば、ワイヤレス通信デバイス104は、第2のPN符号のウェイクアップレコード462が確立されているかどうかを判定してよい。第2のPN符号のウェイクアップレコード462が確立されている場合、ワイヤレス通信デバイス104は、第2のPN符号のウェイクアップレコード462を使用してよい(816)。このようにして、ワイヤレス通信デバイス104は、第1のPN符号のウェイクアップレコード462から第2のPN符号のウェイクアップレコード462に切り替えてよい。
【００９９】
第2のPN符号のウェイクアップレコード462が確立されていない場合、ワイヤレス通信デバイス104は、第2のPN符号の新しいウェイクアップレコード462を生成してよい(808)。ワイヤレス通信デバイス104は、第2のPN符号のウェイクアップカウンタの記憶されたサブスロット番号464を第1のサブスロット(たとえば、第1のサブスロット527a)に設定してよい(810)。
【０１００】
ワイヤレス通信デバイス104はページメッセージ受信サブスロット476を第1のサブスロット(たとえば、第1のサブスロット527a)に初期設定してよい(812)。ワイヤレス通信デバイス104は、第2のPN符号のウェイクアップレコード462のカウント466を0に初期設定してよい(814)。
【０１０１】
図9は、本発明のいくつかの実施形態によるワイヤレス通信デバイス904内に含めることのできる特定の構成要素を示す。ワイヤレス通信デバイス904は、アクセス端末、移動局、ユーザ装置(UE)などであってよい。ワイヤレス通信デバイス904は、プロセッサ903を含む。たとえば、ワイヤレス通信デバイス904は、図1のワイヤレス通信デバイス104および/または図4のワイヤレス通信デバイス404であってよい。
【０１０２】
プロセッサ903は、汎用のシングルチップマイクロプロセッサまたはマルチチップマイクロプロセッサ(たとえばARM)、専用マイクロプロセッサ(たとえば、デジタル信号プロセッサ(DSP))、マイクロコントローラ、プログラマブルゲートアレイ、などであってよい。プロセッサ903は、中央処理装置(CPU)と呼ばれ得る。図9のワイヤレス通信デバイス904には、1つのプロセッサ903しか示されていないが、代替構成では、プロセッサの組合せ(たとえばARMとDSPなど)が使用されてもよい。
【０１０３】
ワイヤレス通信デバイス904は、メモリ905も含む。メモリ905は、電子情報を格納することができる任意の電子構成要素であってよい。メモリ905は、ランダムアクセスメモリ(RAM)、読取り専用メモリ(ROM)、磁気ディスク記憶媒体、光記憶媒体、RAMのフラッシュメモリデバイス、プロセッサに含まれるオンボードメモリ、EPROMメモリ、EEPROMメモリ、レジスタなど、およびそれらの組合せとして具現化され得る。
【０１０４】
データ907aおよび命令909aはメモリ905に格納され得る。命令909aは、本明細書で開示する方法を実装するために、プロセッサ903によって実行可能であってよい。命令909aを実行することは、メモリ905に格納されたデータ907aの使用を伴う場合がある。プロセッサ903が命令909を実行すると、命令の様々な部分909bがプロセッサ903上にロードされてよく、データの様々な断片907bがプロセッサ903上にロードされ得る。
【０１０５】
ワイヤレス通信デバイス904は、アンテナ917を介したワイヤレス通信デバイス904との間の信号の送信および受信を可能にするための送信機911および受信機913も含み得る。送信機911と受信機913は、トランシーバ915と総称され得る。ワイヤレス通信デバイス904は、複数の送信機、複数のアンテナ、複数の受信機、および/または複数のトランシーバも含み得る(図示せず)。
【０１０６】
ワイヤレス通信デバイス904は、デジタル信号プロセッサ(DSP)921を含み得る。ワイヤレス通信デバイス904は、通信インターフェース923も含み得る。通信インターフェース923は、ユーザがワイヤレス通信デバイス904と対話できるようにし得る。
【０１０７】
ワイヤレス通信デバイス904の様々な構成要素は、1つまたは複数のバスによって互いに結合されてよく、それらのバスは、電力バス、制御信号バス、状態信号バス、データバスなどを含み得る。明確にするために、様々なバスは、図9にバスシステム919として示される。
【０１０８】
本明細書で説明する技法は、直交多重化方式に基づく通信システムを含む様々な通信システムに使用され得る。そのような通信システムの例には、直交周波数分割多元接続(OFDMA)システム、シングルキャリア周波数分割多元接続(SC-FDMA)システムなどがある。OFDMAシステムは、システム帯域幅全体を複数の直交する副搬送波に分割する変調技法である、直交周波数分割多重化(OFDM)を利用する。これらの副搬送波は、トーン、ビンなどと呼ばれることもある。OFDMでは、各副搬送波は、データによって独立して変調され得る。SC-FDMAシステムは、システム帯域幅全体にわたって分散される副搬送波上で送信するためのインタリーブドFDMA(IFDMA)、隣接する副搬送波のブロック上で送信するための局所化FDMA(LFDMA)、または隣接する副搬送波の複数のブロック上で送信するためのエンハンストFDMA(EFDMA)を利用することができる。一般に、変調シンボルは、OFDMでは周波数領域で、SC-FDMAでは時間領域で送られる。
【０１０９】
「決定/判定すること(determining)」という用語は、幅広い動作を含み、したがって、「決定/判定すること」は、算出すること、計算すること、処理すること、導出すること、調査すること、検索すること(たとえば、テーブル、データベース、または別のデータ構造を検索すること)、確認することなどを含むことができる。また、「決定/判定すること」は、受信すること(たとえば、情報を受信すること)、アクセスすること(たとえば、メモリ内のデータにアクセスすること)などを含むことができる。また、「決定/判定すること」は、解決すること、選択すること、選ぶこと、確立することなどを含むことができる。
【０１１０】
別段に明記されていない限り、「〜に基づいて」という句は、「〜のみに基づいて」を意味しない。言い換えれば、「〜に基づいて」という句は、「〜のみに基づいて」と「少なくとも〜に基づいて」の両方を表す。
【０１１１】
「プロセッサ」という用語は、汎用プロセッサ、中央処理装置(CPU)、マイクロプロセッサ、デジタル信号プロセッサ(DSP)、コントローラ、マイクロコントローラ、ステートマシン、などを含むように、広く解釈されるものとする。いくつかの状況下では、「プロセッサ」は、特定用途向け集積回路(ASIC)、プログラマブル論理デバイス(PLD)、フィールドプログラマブルゲートアレイ(FPGA)、などを指すことができる。「プロセッサ」という用語は、たとえば、デジタル信号プロセッサ(DSP)とマイクロプロセッサとの組合せ、複数のマイクロプロセッサ、デジタル信号プロセッサ(DSP)コアと連動する1つまたは複数のマイクロプロセッサ、または他の任意のそのような構成など、処理デバイスの組合せを指すことができる。
【０１１２】
「メモリ」という用語は、電子情報を格納することができる任意の電子部品を含むように、広く解釈されるものとする。メモリという用語は、たとえばランダムアクセスメモリ(RAM)、読取り専用メモリ(ROM)、不揮発性ランダムアクセスメモリ(NVRAM)、プログラマブル読取り専用メモリ(PROM)、消去可能プログラマブル読取り専用メモリ(EPROM)、電気的消去可能PROM(EEPROM)、フラッシュメモリ、磁気または光学のデータストレージ、レジスタなどの様々なタイプのプロセッサ可読媒体を指し得る。メモリは、プロセッサがメモリから情報を読み取り、かつ/またはメモリに情報を書き込むことができる場合、プロセッサと電子通信すると言われる。プロセッサに一体のメモリは、プロセッサと電子通信している。
【０１１３】
「命令」および「コード」という用語は、任意のタイプのコンピュータ可読ステートメントを含むように、広く解釈されるものとする。たとえば、「命令」および「コード」という用語は、1つまたは複数のプログラム、ルーチン、サブルーチン、関数、プロシージャ、などを指し得る。「命令」および「コード」は、単一のコンピュータ可読ステートメントまたは多数のコンピュータ可読ステートメントを含んでよい。
【０１１４】
本明細書で説明した機能は、ハードウェアによって実行されているソフトウェアまたはファームウェアで実装され得る。機能は、コンピュータ可読媒体上の1つまたは複数の命令として格納され得る。「コンピュータ可読媒体」または「コンピュータプログラム製品」という用語は、コンピュータまたはプロセッサによってアクセスされ得る任意の有形な記憶媒体を指す。限定ではなく、例として、コンピュータ可読媒体は、RAM、ROM、EEPROM、CD-ROMもしくは他の光ディスクストレージ、磁気ディスクストレージもしくは他の磁気記憶デバイス、または、命令もしくはデータ構造の形態で所望のプログラムコードを運ぶかもしくは格納するために使用され、コンピュータによってアクセスされ得る任意の他の媒体を含んでよい。本明細書で使用する場合、ディスク(disk)およびディスク(disc)は、コンパクトディスク(CD)、レーザディスク、光ディスク、デジタル多用途ディスク(DVD)、フレキシブルディスク、およびブルーレイ(登録商標)ディスクを含み、ディスク(disk)は、通常、磁気的にデータを再生し、ディスク(disc)は、レーザで光学的にデータを再生する。コンピュータ可読媒体が有形でありかつ非一時的であってよいことに留意されたい。「コンピュータプログラム製品」という用語は、コンピューティングデバイスまたはプロセッサとコンピューティングデバイスまたはプロセッサによって実行するか、処理するか、または計算することのできるコードまたは命令(たとえば、「プログラム」)との組合せを指す。「コード」という用語を本明細書において使用するときは、コンピューティングデバイスまたはプロセッサによって実行できるソフトウェア、命令、コード、またはデータを指し得る。
【０１１５】
ソフトウェアまたは命令はまた、伝送媒体を介して送信され得る。たとえば、ソフトウェアが同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は伝送媒体の定義内に含まれる。
【０１１６】
本明細書で開示された方法は、記載の方法を達成するための1つまたは複数のステップまたはアクションを含む。方法のステップおよび/またはアクションは、特許請求の範囲から逸脱することなく、互いに交換され得る。言い換えれば、説明されている方法の適切な操作のために、ステップまたはアクションの特定の順序が必要とされない限り、特定のステップおよび/またはアクションの順序および/または使用は、特許請求の範囲から逸脱することなく修正され得る。
【０１１７】
さらに、たとえば図7および図8によって示されるもののような、本明細書で説明する方法および技法を実行するためのモジュールおよび/または他の適切な手段は、ダウンロードすることができ、かつ/または場合によってはデバイスによって入手することができることを理解されたい。たとえば、本明細書で説明された方法を実行するための手段の転送を容易にするために、デバイスはサーバに結合され得る。代わりに、本明細書で説明する様々な方法は、ストレージ手段をデバイスに結合または提供するとデバイスが様々な方法を得られるように、記憶手段(たとえば、ランダムアクセスメモリ(RAM)、読取り専用メモリ(ROM)、コンパクトディスク(CD)またはフレキシブルディスクなどの物理的記憶媒体など)を介して提供され得る。
【０１１８】
特許請求の範囲は、上記で示された厳密な構成および構成要素に限定されないことを理解されたい。様々な修正、変更、および変形は、特許請求の範囲から逸脱することなく、本明細書で説明されたシステム、方法、および装置の構成、操作、および細部において行われ得る。
【符号の説明】
【０１１９】
100  ワイヤレス通信システム
102  基地局
104  ワイヤレス通信デバイス
106  地理的エリア
108a、108b、108c  より小さいエリア
110  システムコントローラ
211  送信機
212  変調器
213  受信機
214、230  コントローラ/プロセッサ
216、236  メモリ
218  送信機ユニット
222  アンテナ
224  受信機ユニット
226  復調器
228  受信(RX)データプロセッサ
232  復号されたデータ
234  送信(TX)データプロセッサ
238  データ
324  受信機ユニット
326  復調器
342  受信チェーン
344  アナログデジタル変換器(ADC)
346  プリプロセッサ
348  入力フィルタ
350  データフィルタ
352  等化器/検出器
354  隣接チャネル干渉(ACI)検出器
356  隣接チャネル干渉(ACI)インジケータ
400  ワイヤレス通信システム
402  基地局
404  ワイヤレス通信デバイス
460  最適化ウェイクアップモジュール
462  ウェイクアップレコード
464  記憶されたサブスロット番号
466  カウント
468  セルID
470  PN(擬似雑音)符号
472  レコードID
474  連続サブスロットしきい値
476  ページメッセージ受信サブスロット
480  ダウンリンク
482  アップリンク
484  ページメッセージモジュール
486  ダイレクトページメッセージ
488  空の一般的ページメッセージ
525  スリープモード
527a〜527d  サブスロット
529  スロット境界
533  ウォームアップ手順
535  再取得手順
537  復号ページメッセージ手順
539  アクセス手順
541  サブスロット境界
625  スリープモード
627a〜627d  サブスロット
629  スロット境界
631  ページメッセージ
633  ウォームアップ手順
635  再取得手順
637  復号ページメッセージ手順
639  アクセス手順
641  サブスロット境界
903  プロセッサ
904  ワイヤレス通信デバイス
905  メモリ
907  データ
909  命令
911  送信機
913  受信機
915  トランシーバ
917  アンテナ
919  バスシステム
921  デジタル信号プロセッサ(DSP)
923  通信インターフェース
【図１】
0005908985.tif 000005
【図２】
0005908985.tif 000006
【図３】
0005908985.tif 000007
【図４】
0005908985.tif 000008
【図５】
0005908985.tif 000009
【図６】
0005908985.tif 000010
【図７】
0005908985.tif 000011
【図８】
0005908985.tif 000012
【図９】
0005908985.tif 000013